(57)【要約】【課題】簡単且つ確実に施解錠操作を行う。【解決手段】本発明のダイヤル錠１０は、軸状部材１９の軸心を中心に回動可能且つ軸状部材１９の軸線方向に沿って前後にスライド可能に設けられる摘み部材１２と、摘み部材１２の回動に伴って回動すると共に摘み部材１２のスライドを許容するように軸状部材１９に設けられる第１回転体２８と、第１回転体２８とは独立して回動すると共に摘み部材１２のスライドを許容するように軸状部材１９に設けられ第２回転体２９と、摘み部材１２のスライドに伴って第２回転体２９に係脱可能に設けられる係合部材２５，２６と、を備え、第１の位置で摘み部材１２を任意の方向に回転させて目盛を指標に合わせた後、第２の位置で摘み部材１２を任意の方向に回転させて目盛を指標に合わせる操作を行うだけでダイヤル錠１０を解錠させることができる。【選択図】図１
2014190052.tif 000002
【特許請求の範囲】
【請求項１】
施錠対象物の扉側に取り付けて用いられるダイヤル錠であって、
後方に突出する軸状部材を有し、前記扉の前面側において該軸状部材の軸心を中心に回動可能且つ該軸状部材の軸線方向に沿って前後にスライド可能に設けられる摘み部材と、
該摘み部材の回動に伴って回動すると共に該摘み部材のスライドを許容するように前記軸状部材に設けられ、外縁部に第１切欠部を有する第１回転体と、
該第１回転体とは独立して回動すると共に前記摘み部材のスライドを許容するように前記軸状部材に設けられ、外縁部に第２切欠部を有する第２回転体と、
前記軸状部材の径方向に突出可能に設けられ、前記摘み部材のスライドに伴って前記第２回転体に係脱可能に設けられる係合部材と、
前記施錠対象物の本体側の係止片に係脱する方向に揺動可能且つ前記軸線方向と交差する方向にスライド可能に設けられ、前記係止片に係止する方向に付勢されるラッチと、
を備え、
前記摘み部材を前後いずれか一方にスライドさせた第１の位置では、前記係合部材が前記第２回転体に係合するため、前記摘み部材を任意の方向に所定角度回転させると、前記第１回転体及び前記第２回転体が前記摘み部材と共に回転し、その後、前記摘み部材を前記一方の反対側の前後いずれか他方にスライドさせた第２の位置では、前記係合部材が前記第２回転体から脱離するため、前記摘み部材を任意の方向に所定角度回転させると、前記第１回転体だけが前記摘み部材と共に回転し、前記第１切欠部と前記第２切欠部とが合致することにより、前記ラッチの前記係止片から脱離する方向への揺動が許容されるように構成されていることを特徴とするダイヤル錠。
【請求項２】
前記第１回転体は前記第２回転体の前記他方に隣接して配設され、前記第１回転体及び前記第２回転体の径方向外側において前記軸状部材の軸線方向に沿って前後にスライド可能にスライダーが設けられ、前記第１切欠部と前記第２切欠部とが合致すると、前記スライダーの前方へのスライドが許容されることにより、前記ラッチの前記係止片から脱離する方向への揺動が許容されることを特徴とする請求項１に記載のダイヤル錠。
【請求項３】
前記摘み部材は前方に付勢された状態で設けられていることを特徴とする請求項１又は２に記載のダイヤル錠。
【請求項４】
前記第２回転体は前記第１回転体の径方向外周部分を覆うように該第１回転体と同心状に配設されており、前記第１切欠部と前記第２切欠部とが合致すると、該第１切欠部及び第２切欠部への前記ラッチの進入が許容されることにより、前記ラッチの前記係止片から脱離する方向への揺動が許容されることを特徴とする請求項１に記載のダイヤル錠。
【請求項５】
前記軸状部材には前後２箇所に溝部がそれぞれ周方向に形成され、該軸状部材の径方向外側にはクリックボールが径方向内側に付勢された状態で設けられ、前記第１の位置では前記クリックボールが前記他方側の溝部に係合し、前記第２の位置では前記クリックボールが前記一方側の溝部に係合するように構成されていることを特徴とする請求項１〜３のいずれか１の請求項に記載のダイヤル錠。
【発明の詳細な説明】
【技術分野】
【０００１】
本発明は、郵便受け箱等の施錠対象物の扉側に取り付けて用いられるダイヤル錠に関するものである。
【背景技術】
【０００２】
一般に、マンションや事務所ビル等のエントランスホールに設置されている郵便受け箱等の施解錠装置として、ダイヤル錠が広く使用されている。
【０００３】
この種の従来のダイヤル錠は、ダイヤル機構の外筒に形成された外側切欠と内筒に形成された内側切欠とがラッチ収納スリットに合致していない時にはラッチの回動が不可能な施錠状態となる一方、外側切欠と内側切欠がラッチ収納スリットに合致した時に限ってラッチの回動が可能な解錠状態となって扉を開放できるようになっている（例えば、特許文献１乃至３参照）。
【先行技術文献】
【特許文献】
【０００４】
【特許文献１】特開平４−９２０６７号公報
【特許文献２】特開平９−７８９０９号公報
【特許文献３】特開２００２−３０３０６３号公報
【発明の概要】
【発明が解決しようとする課題】
【０００５】
しかしながら、上記した従来のダイヤル錠では、解錠操作する際、ダイヤルを時計方向或いは反時計方向の予め決められた方向に回転させてダイヤルの外周に表示された目盛を指標に合わせる操作を複数回行った後、さらに、ダイヤルを予め決められた方向に回転させてダイヤルの目盛を指標に再度合わせたりする必要がある。
【０００６】
そのため、解錠操作が煩雑となり、使用勝手の向上を図り難いという問題がある。また、ダイヤルの回転方向や回転回数及び指標に合わせるダイヤルの目盛等、覚えることが多く、解錠操作の手順が複雑なため、特に、高齢者や子供では容易に解錠できなかったり、或いは、最初から施錠するのを諦めて防犯上問題となったりするという問題もある。
【０００７】
本発明は、上記した課題を解決すべくなされたものであり、簡単且つ確実に施解錠操作を行うことのできるダイヤル錠を提供することを目的とするものである。
【課題を解決するための手段】
【０００８】
上記した目的を達成するため、本発明は、施錠対象物の扉側に取り付けて用いられるダイヤル錠であって、後方に突出する軸状部材を有し、前記扉の前面側において該軸状部材の軸心を中心に回動可能且つ該軸状部材の軸線方向に沿って前後にスライド可能に設けられる摘み部材と、該摘み部材の回動に伴って回動すると共に該摘み部材のスライドを許容するように前記軸状部材に設けられ、外縁部に第１切欠部を有する第１回転体と、該第１回転体とは独立して回動すると共に前記摘み部材のスライドを許容するように前記軸状部材に設けられ、外縁部に第２切欠部を有する第２回転体と、前記軸状部材の径方向に突出可能に設けられ、前記摘み部材のスライドに伴って前記第２回転体に係脱可能に設けられる係合部材と、前記施錠対象物の本体側の係止片に係脱する方向に揺動可能且つ前記軸線方向と交差する方向にスライド可能に設けられ、前記係止片に係止する方向に付勢されるラッチと、を備え、前記摘み部材を前後いずれか一方にスライドさせた第１の位置では、前記係合部材が前記第２回転体に係合するため、前記摘み部材を任意の方向に所定角度回転させると、前記第１回転体及び前記第２回転体が前記摘み部材と共に回転し、その後、前記摘み部材を前記一方の反対側の前後いずれか他方にスライドさせた第２の位置では、前記係合部材が前記第２回転体から脱離するため、前記摘み部材を任意の方向に所定角度回転させると、前記第１回転体だけが前記摘み部材と共に回転し、前記第１切欠部と前記第２切欠部とが合致することにより、前記ラッチの前記係止片から脱離する方向への揺動が許容されるように構成されていることを特徴とする。
【０００９】
この特徴によれば、前記第１の位置で摘み部材を任意の方向に回転させて目盛を指標に１回合わせた後、前記第２の位置で摘み部材を任意の方向に回転させて目盛を指標に１回合わせる操作を行うだけでダイヤル錠を解錠させることができる。そのため、解錠操作が簡単となり、使用勝手の向上を図ることができる。また、摘み部材の回転方向や回転回数及び指標に合わせる摘み部材の目盛等、覚えることが少なく、解錠操作の手順が簡単なため、例え高齢者や子供であっても容易に解錠操作することができ、最初から施錠するのを諦めて防犯上問題となったりすることもない。
【００１０】
また、本発明に係るダイヤル錠において、前記第１回転体は前記第２回転体の前記他方に隣接して配設され、前記第１回転体及び前記第２回転体の径方向外側において前記軸状部材の軸線方向に沿って前後にスライド可能にスライダーが設けられ、前記第１切欠部と前記第２切欠部とが合致すると、前記スライダーの前方へのスライドが許容されることにより、前記ラッチの前記係止片から脱離する方向への揺動が許容されることを特徴としてもよい。
【００１１】
この特徴によれば、上記した簡単且つ確実に施解錠操作を行うことができる効果に加えて、前記第１回転体及び前記第２回転体等の構成部品の形状や構造をより簡略化することが可能となる。
【００１２】
また、本発明に係るダイヤル錠において、前記摘み部材は前方に付勢された状態で設けられていることを特徴としてもよい。
【００１３】
この特徴によれば、前記摘み部材がそれ自体の付勢力により前記第２の位置から前記第１の位置に移動するため、操作をより簡単且つ確実に行うことができる。
【００１４】
また、本発明に係るダイヤル錠において、前記第２回転体は前記第１回転体の径方向外周部分を覆うように該第１回転体と同心状に配設されており、前記第１切欠部と前記第２切欠部とが合致すると、該第１切欠部及び第２切欠部への前記ラッチの進入が許容されることにより、前記ラッチの前記係止片から脱離する方向への揺動が許容されることを特徴としてもよい。
【００１５】
この特徴によれば、前記スライダーを取り付ける必要がないため、上記した簡単且つ確実に施解錠操作を行うことができる効果に加えて、部品点数の削減を図ることができる。
【００１６】
また、本発明に係るダイヤル錠において、前記軸状部材には前後２箇所に溝部がそれぞれ周方向に形成され、該軸状部材の径方向外側にはクリックボールが径方向内側に付勢された状態で設けられ、前記第１の位置では前記クリックボールが前記他方側の溝部に係合し、前記第２の位置では前記クリックボールが前記一方側の溝部に係合するように構成されていることを特徴としてもよい。
【００１７】
この特徴によれば、前記クリックボールを前部の溝部のいずれかに係合させることで前記摘み部材及び軸状部材を前記第１の位置と前記第２の位置に保持することができるため、上記した簡単且つ確実に施解錠操作を行うことができる効果に加えて、操作性の向上を図ることができる。
【発明の効果】
【００１８】
本発明によれば、簡単且つ確実に施解錠操作を行うことができる等、種々の優れた効果を得ることができる。
【図面の簡単な説明】
【００１９】
【図１】本発明の第１の実施形態に係るダイヤル錠の解錠操作において該ダイヤル錠が第１の位置にある時の状態を示す平断面図である。
【図２】本発明の第１の実施形態に係るダイヤル錠の解錠操作において該ダイヤル錠が第２の位置にある時の状態を示す平断面図である。
【図３】本発明の第１の実施形態に係るダイヤル錠の施錠状態を示す平断面図である。
【図４】本発明の第２の実施形態に係るダイヤル錠の解錠操作において該ダイヤル錠が第１の位置にある時の状態を示す平断面図である。
【図５】本発明の第２の実施形態に係るダイヤル錠の解錠操作において該ダイヤル錠が第２の位置にある時の状態を示す平断面図である。
【図６】本発明の第２の実施形態に係るダイヤル錠の施錠状態を示す平断面図である。
【図７】本発明の第３の実施形態に係るダイヤル錠の解錠操作において該ダイヤル錠が第１の位置にある時の状態を示す平断面図である。
【図８】本発明の第３の実施形態に係るダイヤル錠の解錠操作において該ダイヤル錠が第２の位置にある時の状態を示す平断面図である。
【図９】本発明の第３の実施形態に係るダイヤル錠の施錠状態を示す平断面図である。
【発明を実施するための形態】
【００２０】
以下、図面を参照しつつ、本発明の実施形態に係るダイヤル錠について説明する。なお、以下の説明では、本発明に係るダイヤル錠を郵便受け箱の外開きの扉に取り付けた場合について例示して説明し、便宜上、扉の開き方向を前方とし、左右の向きは扉に対して正面から見た向きを基準とする。
【００２１】
まず、図１〜図３により、本発明の第１の実施形態に係るダイヤル錠１０について説明する。
【００２２】
図中の符号１は郵便受け箱を示しており、この郵便受け箱１は、前面側に開口２が形成された本体３と、この開口２を開閉可能なようにヒンジ（図示省略）を介して本体３に回動可能に取り付けられる外開きの扉４と、を備えて構成されている。郵便受け箱１の本体３の開口周縁部には係止片５が取り付けられ、扉４の自由端縁にはこの係止片５に対応する位置に本実施形態に係るダイヤル錠１０が取り付けられている。
【００２３】
本実施形態に係るダイヤル錠１０は、扉４に固定される中空の枠体１１と、枠体１１の前端部に回動可能に設けられる摘み部材１２と、枠体１１の後端部においてラッチ１３を支持するラッチホルダ１４と、を備えている。
【００２４】
枠体１１にはフランジ部１５が形成され、枠体１１はこのフランジ部１５を介して扉４に固定されている。フランジ部１５の外周部には前方に延出する案内部１６が形成されており、枠体１１の前端中央部には円筒形状の軸受部１７が突設されている。
【００２５】
摘み部材１２は、円筒状部材の前面を円板状部材３２で閉塞した形状を有する摘み本体１８と、摘み本体１８の中心から後方に突出するように形成される軸状部材１９と、を備えて構成されている。摘み部材１２の円板状部材３２には、その前面外周に、例えば、「０」から「９」の目盛が表示されている。摘み本体１８の後端部は枠体１１の案内部１６に嵌合し、軸状部材１９は軸受部１７に嵌合している。これにより、摘み部材１２は、扉４の前面側において軸状部材１９の軸心を中心に回動可能且つ軸状部材１９の軸線方向に沿って前後にスライド可能となる。
【００２６】
軸状部材１９には、前方から２箇所の溝部２０，２１がそれぞれ周方向に形成されており、軸状部材１９の径方向外側にはクリックボール２２がバネ２３により径方向内側に付勢された状態で設けられている。軸状部材１９の溝部２０，２１より後方には、径方向に縦溝２４が形成されており、この縦溝２４の内部には係合部材が設けられている。この係合部材は、先端に傾斜面が形成されたストッパー２６と、ストッパー２６を外側径方向に付勢するバネ２５と、により構成されている。これにより、ストッパー２６は、軸状部材１９の右側径方向に突出可能となる。
【００２７】
軸状部材１９の後端部には、係合突起２７が左側径方向に突出するように形成されている。また、枠体１１の内部には、軸状部材１９の溝部２０，２１より後方部分に、後方から円筒状の第１回転体２８及び第２回転体２９がそれぞれ周設されており、第１回転体２８及び第２回転体２９の各中心孔３０，３１にそれぞれ軸状部材１９が挿入される。
【００２８】
第１回転体２８の中心孔３０には、軸状部材１９を挟んで対向する位置にそれぞれキー溝３３，３４が軸線方向に形成されており、軸状部材１９の係合突起２７は一方のキー溝３３に係合した状態で軸線方向にスライド可能となっている。第１回転体２８の後部には大径部分３６が形成されており、大径部分３６の外縁部に第１切欠部（図示省略）が形成されている。
【００２９】
第２回転体２９は第１回転体２８の前方に隣接して設けられており、第２回転体２９の中心孔３１には、キー溝３７が軸線方向に形成されている。第２回転体２９は第１回転体２８の大径部分３６と同一外径を有しており、第２回転体２９の外縁部に第２切欠部（図示省略）が形成されている。
【００３０】
枠体１１内には、第１回転体２８及び第２回転体２９の右側径方向に、スライダー３８がバネ３９によって後方に付勢された状態で配設されている。スライダー３８には、第１回転体２８の大径部分３６に対応する位置に凹部４０が形成されており、大径部分３６が凹部４０に嵌合した状態では、スライダー３８の前端と枠体１１との間に第２回転体２９の前後方向の厚みより僅かに大きい寸法の隙間４１が形成されるようになっている。
【００３１】
ラッチ１３は、鉛直方向にラッチ軸４２が植設されたアーム部４３と、アーム部４３の左側先端に傾斜した姿勢で設けられる頭部４４と、を備えている。ラッチ１３は、ラッチ軸４２を支点として係止片５に係脱する方向に揺動可能に設けられていると共に、ラッチ軸４２がラッチホルダ１４に形成された案内溝（図示省略）に沿って摺動することで前記軸線方向と直交する方向にスライド可能に設けられている。頭部４４は凸状に湾曲した傾斜面４５を有し、ラッチ１３は、ラッチばね４６によってこの頭部４４を係止片５に係止する方向に付勢されている。
【００３２】
次に、上記した構成を備えた本実施形態に係るダイヤル錠１０を解錠する時の作用について説明する。
【００３３】
図１に示すように、摘み部材１２を前方にスライドさせた第１の位置では、軸状部材１９の係合突起２７が第１回転体２８の一方のキー溝３３に係合すると共に、ストッパー２６が第２回転体２９のキー溝３７に係合している。この時、クリックボール２２がバネ２３の弾性力により後側の溝部２１に嵌合するため、摘み部材１２は前記第１の位置に保持される。そこで、この状態において、操作する者が摘み部材１２を任意の方向に回転させ、予め設定されたように、摘み部材１２の目盛を指標に１回合わせると、第１回転体２８及び第２回転体２９は摘み部材１２と共に所定角度回転する。
【００３４】
その後、図２に示すように、操作する者が摘み部材１２を押圧して後方にスライドさせて第２の位置に移動させると、軸状部材１９の係合突起２７は第１回転体２８の一方のキー溝３３に係合した状態のまま該キー溝３３に沿って後方にスライドするが、ストッパー２６は第２回転体２９のキー溝３７から脱離し、第１回転体２８の他方のキー溝３４に係合する。この時、クリックボール２２がバネ２３の弾性力により前側の溝部２０に嵌合するため、摘み部材１２は前記第２の位置に保持される。
【００３５】
そこで、この状態において、操作する者が摘み部材１２を任意の方向に回転させ、予め設定されたように、摘み部材１２の目盛を指標に１回合わせると、第１回転体２８だけが摘み部材１２と共に所定角度回転し、前記第１切欠部と前記第２切欠部とが合致する。これにより、スライダー３８は前記第１切欠部及び前記第２切欠部によって形成されたスリット（図示省略）に沿って前方にスライド可能な状態となる。
【００３６】
次いで、操作する者が摘み部材１２を介して扉４を手前に引っ張ると、ラッチ１３の頭部４４の前端部４４ａが係止片５により押圧され、ラッチ１３がラッチ軸４２を支点として図示時計回り方向に揺動すると同時に、スライダー３８はラッチ軸４２を挟んで頭部４４と反対側のアーム部４３の前端部４３ａにより押圧され、バネ３６の付勢力に抗して前記スリットに沿って前方にスライドする。そして、ラッチ１３の頭部４４の前端部４４ａが係止片５を乗り越え、ラッチ１３が係止片５から脱離すると、ラッチ１３はラッチばね４６の弾性力によりラッチ軸４２を支点として図示反時計回り方向に揺動し、元の状態に戻る。これにより、ダイヤル錠１０は解錠され、扉４は開放される。
【００３７】
一方、上記したように解除されたダイヤル錠１０を施錠するには、扉４を閉鎖方向に押圧する。そうすると、ラッチ１３の頭部４４の傾斜面４５が係止片５に当接し、ラッチ１３に対して前記軸線方向に直交する方向への力が作用するため、ラッチ１３は前記案内溝に沿って右方へスライドする。その後、ラッチ１３の頭部４４が係止片５を乗り越えると、ラッチ１３はラッチばね４６の弾性力により前記案内溝に沿って左方にスライドし、元の状態に戻り、係止片５に係止する。
【００３８】
この時、第１回転体２８及び第２回転体２９は未だ解錠状態の回転位置にあるため、図３に示すように、摘み部材１２を引っ張り、ストッパー２６の斜面を第２回転体２９の中心孔３１の周囲の角部に当接させてバネ２５の弾性力に抗してストッパー２６を縦溝２４内に収容させた後、摘み部材１２を任意の方向に１回転以上回転させる。これにより、第１回転体２８及び軸状部材１９が回転し、ストッパー２６が第２回転体２９のキー溝３７に係合し、本締まり状態となる。
【００３９】
次に、図４〜図６により、本発明の第２の実施形態に係るダイヤル錠５０について説明する。
【００４０】
本実施形態に係るダイヤル錠５０では、枠体１１の軸受部１７の周りに摘みバネ５１が設けられており、摘み部材１２が前方に付勢されている。また、摘み部材１２の軸状部材１９には、上記した第１の実施形態に係るダイヤル錠１０の溝部２０，２１や係合部材(ストッパー２６及びバネ２５)に相当する構成が設けられていない。
【００４１】
すなわち、これらの点において、本実施形態に係るダイヤル錠５０は、上記した第１の実施形態に係るダイヤル錠１０と異なるが、その他の構成については、上記した第１の実施形態に係るダイヤル錠１０と同様であるため、図４〜図６において、図１〜図３と同一の符号を付し、詳細な説明を省略する。
【００４２】
上記した構成を備えた本実施形態に係るダイヤル錠５０を解錠する場合、図４に示すように、摘みバネ５１の弾性力により摘み部材１２を前方にスライドさせた第１の位置において、摘み部材１２を任意の方向に回転させ、予め設定されたように、摘み部材１２の目盛を指標に１回合わせ、第１回転体２８及び第２回転体２９を摘み部材１２と共に所定角度回転させる。
【００４３】
その後、図５に示すように、操作する者が摘みバネ５１の弾性力に抗して摘み部材１２を押圧して第２の位置に移動させたままの状態で、摘み部材１２を任意の方向に回転させ、予め設定されたように、摘み部材１２の目盛を指標に１回合わせ、第１回転体２８だけを所定角度回転させる。これにより、前記第１切欠部と前記第２切欠部とが合致するため、スライダー３８は前記第１切欠部及び前記第２切欠部によって形成されたスリット（図示省略）に沿って前方にスライド可能な状態となる。
【００４４】
そこで、操作する者が摘み部材１２を介して扉４を手前に引っ張ると、ラッチ１３の頭部４４の前端部４４ａが係止片５により押圧され、ラッチ１３がラッチ軸４２を支点として図示時計回り方向に揺動すると同時に、スライダー３８はラッチ軸４２を挟んで頭部４４と反対側のアーム部４３の前端部４３ａにより押圧され、バネ３６の付勢力に抗して前記スリットに沿って前方にスライドする。そして、ラッチ１３の頭部４４の前端部４４ａが係止片５を乗り越え、ラッチ１３が係止片５から脱離すると、ラッチ１３はラッチばね４６の弾性力によりラッチ軸４２を支点として図示反時計回り方向に揺動し、元の状態に戻る。これにより、ダイヤル錠５０は解錠され、扉４は開放される。
【００４５】
一方、上記したように解除されたダイヤル錠５０を施錠するには、扉４を閉鎖方向に押圧する。そうすると、ラッチ１３の頭部４４の傾斜面４５が係止片５に当接し、ラッチ１３に対して前記軸線方向に直交する方向への力が作用するため、ラッチ１３は前記案内溝に沿って右方へスライドする。その後、ラッチ１３の頭部４４が係止片５を乗り越えると、ラッチ１３はラッチばね４６の弾性力により前記案内溝に沿って左方にスライドし、元の状態に戻り、係止片５に係止する。
【００４６】
この時、第１回転体２８及び第２回転体２９は未だ解錠状態の回転位置にあるため、図６に示すように、摘み部材５１の弾性力により摘み部材１２を前記第１の位置に保持した状態において、摘み部材１２を任意の方向に１回転以上回転させる。これにより、第１回転体２８及び軸状部材１９が回転し、ストッパー２６が第２回転体２９のキー溝３７に係合し、本締まり状態となる。
【００４７】
次に、図７〜図９により、本発明の第３の実施形態に係るダイヤル錠６０について説明する。なお、以下の説明において、上記した第１の実施形態に係るダイヤル錠１０と同様の構成については、図７〜図９中、図１〜図３と同一の符号を付し、詳細な説明を省略する。
【００４８】
本実施形態に係るダイヤル錠６０は、扉４に固定される中空の枠体６１と、枠体６１の前端部に回動可能に設けられる摘み部材６２と、枠体６１の後端部においてラッチ１３を支持するラッチホルダ１４と、を備えている。
【００４９】
枠体６１にはフランジ部６５が形成され、枠体６１はこのフランジ部６５を介して扉４に固定されている。フランジ部６５の外周部には前方に延出する案内部６６が形成されており、枠体６１の前端部には円筒形状の軸受部６７が突設されている。
【００５０】
摘み部材６２は、円筒状部材の前面を円板状部材で閉塞した形状を有する摘み本体６８と、摘み本体６８の中心から後方に突出するように形成される軸状部材６９と、を備えて構成されている。摘み部材６２の円板状部材には、その前面外周に、例えば、「０」から「９」の目盛が表示されている。摘み本体６８の後端部は枠体６１の案内部６６に嵌合し、軸状部材６９は軸受部６７に嵌合している。これにより、摘み部材６２は、扉４の前面側において軸状部材６９の軸心を中心に回動可能且つ軸状部材６９の軸線方向に沿って前後にスライド可能となる。
【００５１】
軸状部材６９の前端部には、前方から２箇所の溝部７０，７１がそれぞれ周方向に形成されており、軸状部材６９の径方向外側にはクリックボール７２がバネ７３により径方向内側に付勢された状態で設けられている。軸状部材６９の溝部７０，７１より後方には、径方向に縦溝７４が形成されており、この縦溝７４の内部には係合部材が設けられている。この係合部材は、先端に傾斜面が形成されたストッパー７６と、ストッパー７６を外側径方向に付勢するバネ７５と、により構成されている。これにより、ストッパー７６は、軸状部材６９の右側径方向に突出可能となる。また、軸状部材６９の後端部には、係合突起７７が左側径方向に突出するように形成されている。
【００５２】
枠体６１の内部には、軸状部材６９の後方から円筒状の第１回転体７８及び第２回転体７９がそれぞれ周設されており、第１回転体７８及び第２回転体７９の各中心孔８０，８１にそれぞれ軸状部材６９の後側部分が挿入される。
【００５３】
第１回転体７８の中心孔８０には、軸状部材６９を挟んで対向する位置にそれぞれキー溝８３，８４が軸線方向に形成されており、軸状部材６９の係合突起７７は一方のキー溝８３に係合した状態で軸線方向にスライド可能となっている。第１回転体７８の外縁部には第１切欠部（図示省略）が前記軸線方向に沿って形成されている。
【００５４】
第２回転体７９は第１回転体７８の径方向外周部分を覆うように第１回転体７９と同心状に配設されており、第２回転体７９の中心孔８１には、キー溝８７が軸線方向に形成されている。第２回転体２９の外縁部には第２切欠部（図示省略）が前記軸線方向に沿って形成されている。
【００５５】
次に、上記した構成を備えた本実施形態に係るダイヤル錠６０を解錠する時の作用について説明する。
【００５６】
図７に示すように、摘み部材６２を前方にスライドさせた第１の位置では、軸状部材６９の係合突起７７が第１回転体７８の一方のキー溝８３に係合すると共に、ストッパー７６が第２回転体７９のキー溝８７に係合している。この時、クリックボール７２がバネ７３の弾性力により後側の溝部７１に嵌合するため、摘み部材６２は前記第１の位置に保持される。そこで、この状態において、操作する者が摘み部材６２を任意の方向に回転させ、予め設定されたように、摘み部材６２の目盛を指標に１回合わせると、第１回転体７８及び第２回転体７９は摘み部材６２と共に所定角度回転する。
【００５７】
その後、図８に示すように、操作する者が摘み部材６２を押圧して後方にスライドさせて第２の位置に移動させると、軸状部材６９の係合突起７７は第１回転体７８の一方のキー溝８３に係合した状態のまま該キー溝８３に沿って後方にスライドするが、ストッパー７６は第２回転体７９のキー溝８７から脱離し、第１回転体７８の他方のキー溝８４に係合する。この時、クリックボール７２がバネ７３の弾性力により前側の溝部７０に嵌合するため、摘み部材６２は前記第２の位置に保持される。
【００５８】
そこで、この状態において、操作する者が摘み部材６２を任意の方向に回転させ、予め設定されたように、摘み部材６２の目盛を指標に１回合わせると、第１回転体７８だけが摘み部材６２と共に所定角度回転し、前記第１切欠部と前記第２切欠部とが合致する。これにより、ラッチ１３のアーム部４３は前記第１切欠部及び前記第２切欠部によって形成されたスリット（図示省略）に進入可能な状態となる。
【００５９】
次いで、操作する者が摘み部材６２を介して扉４を手前に引っ張ると、ラッチ１３の頭部４４の前端部４４ａが係止片５により押圧され、ラッチ１３のアーム部４３の前端部４３ａが前記スリットに進入すると同時に、ラッチ１３がラッチ軸４２を支点として図示時計回り方向に揺動する。そして、ラッチ１３の頭部４４の前端部４４ａが係止片５を乗り越え、ラッチ１３が係止片５から脱離すると、ラッチ１３はラッチばね４６の弾性力のよりラッチ軸４２を支点として図示反時計回り方向に揺動し、元の状態に戻る。これにより、ダイヤル錠６０は解錠され、扉４は開放される。
【００６０】
一方、上記したように解除されたダイヤル錠６０を施錠するには、扉４を閉鎖方向に押圧する。そうすると、ラッチ１３の頭部４４の傾斜面４５が係止片５に当接し、ラッチ１３に対して前記軸線方向に直交する方向への力が作用するため、ラッチ１３は前記案内溝に沿って右方へスライドする。その後、ラッチ１３の頭部４４が係止片５を乗り越えると、ラッチ１３はラッチばね４６の弾性力により前記案内溝に沿って左方にスライドし、元の状態に戻り、係止片５に係止する。
【００６１】
この時、第１回転体７８及び第２回転体７９は未だ解錠状態の回転位置にあるため、図９に示すように、摘み部材６２を引っ張り、ストッパー７６の斜面を第２回転体７９の中心孔８１の周囲の角部に当接させてバネ７５の弾性力に抗してストッパー７６を縦溝７４内に収容した後、摘み部材６２を任意の方向に１回転以上回転させる。これにより、第１回転体７８及び軸状部材６９が回転し、ストッパー７６が第２回転体７９のキー溝８７に係合し、本締まり状態となる。
【００６２】
このように上記した第１〜第３の実施形態に係るダイヤル錠１０，５０，６０によれば、前記第１の位置で摘み部材１２，６２を任意の方向に回転させて目盛を指標に１回合わせた後、前記第２の位置で摘み部材１２，６２を任意の方向に回転させて目盛を指標に１回合わせる操作を行うだけでダイヤル錠１０，５０，６０を解錠させることができる。そのため、解錠操作が簡単となり、使用勝手の向上を図ることができる。また、摘み部材１２，６２の回転方向や回転回数及び指標に合わせる摘み部材１２，６２の目盛等、覚えることが少なく、解錠操作の手順が簡単なため、例え高齢者や子供であっても容易に解錠操作することができ、最初から施錠するのを諦めて防犯上問題となったりすることもない。
【００６３】
なお、上記した第１〜第３の実施形態では、第１回転体２８，７８を第２回転体２９，７９の後方に配置しているが、これとは反対に第１回転体２８，７８を第２回転体２９，７９の前方に配置すると共に係合突起２７，７７をストッパー２６，７６の前方に形成してもよい。この場合、ダイヤル錠１０，５０，６０を施解錠する時に摘み部材１２，６２をスライドさせる方向は前記各実施形態において説明した方向と反対となり、摘み部材１２，６２を後方にスライドさせた位置が前記第１の位置となり、摘み部材１２，６２を前方にスライドさせた位置が前記第２の位置となる。
【００６４】
なお、上記した第１〜第３の実施形態では、本発明の実施形態に係るダイヤル錠１０，５０，６０を郵便受け箱に取り付けた場合について説明したが、これは単なる一例に過ぎず、本発明に係るダイヤル錠を郵便受け箱以外の施錠対象物にも使用可能であることは言う迄もない。
【００６５】
また、上記した第１〜第３の実施形態の説明は、本発明に係るダイヤル錠における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６６】
１    郵便受け箱（施錠対象物）
３    本体
４    扉
５    係止片
１０  ダイヤル錠
１２  摘み部材
１３  ラッチ
１９  軸状部材
２０  （前側の）溝部
２１  （後側の）溝部
２２  クリックボール
２８  第１回転体
２９  第２回転体
２５  バネ（係合部材）
２６  ストッパー（係合部材）
３８  スライダー
５０  ダイヤル錠
６０  ダイヤル錠
６２  摘み部材
６９  軸状部材
７０  （前側の）溝部
７１  （後側の）溝部
７２  クリックボール
７８  第１回転体
７９  第２回転体
７５  バネ（係合部材）
７６  ストッパー（係合部材）
【図１】
2014190052.tif 000003
【図２】
2014190052.tif 000004
【図３】
2014190052.tif 000005
【図４】
2014190052.tif 000006
【図５】
2014190052.tif 000007
【図６】
2014190052.tif 000008
【図７】
2014190052.tif 000009
【図８】
2014190052.tif 000010
【図９】
2014190052.tif 000011